(57)【特許請求の範囲】
【請求項１】
無線通信システム用のアンテナであって、
信号を伝送するための前側、および、前記前側と反対側の後側を有する反射板と、
前記反射板の前記前側に配置されたアンテナ発振器と、
前記反射板の前記後側に配置された位相シフタネットワークと、
前記反射板の前記前側に配置され、かつ、前記アンテナ発振器を前記反射板の前記前側に固定するよう構成された、アンテナ発振器固定機器と、
前記反射板の前記前側に配置された、半田付けのために用いられる機器と、
を備え、
前記アンテナ発振器は、前記反射板の前記前側に配置され、かつ、前記アンテナにより伝送および受信されることになる信号と所要電力とを移送するための同軸ケーブルに接続するよう構成された、同軸ケーブル半田付け端部を備え、
前記アンテナ発振器固定機器は、前記アンテナ発振器を固定するための凸状の板を含み、該凸状の板は固定のための孔を備え、
前記アンテナ発振器は、前記孔を介した前記凸状の板との間のネジ接続によって、該凸状の板に取り付けられ、且つ、該凸状の板から取り外されるように構成されており、
前記半田付けのために用いられる機器は誘導半田付けのために用いられる機器であり、
前記誘導半田付けのために用いられる機器は、
前記反射板上の、前記同軸ケーブル半田付け端部と前記同軸ケーブルとの間の接続点に配置され、かつ、
前記同軸ケーブル半田付け端部を前記同軸ケーブルに半田付けするよう構成され、かつ、
前記同軸ケーブル半田付け端部を前記同軸ケーブルから結合解除するよう構成されている、
アンテナ。
【請求項２】
前記同軸ケーブル半田付け端部は、前記反射板の前記前側に平行な方向に延びている、請求項１に記載のアンテナ。
【請求項３】
前記反射板は、前記同軸ケーブルが、前記アンテナにより伝送および受信されることになる信号と、所要電力とを移送して前記反射板を通過させることを可能にするよう構成された、孔を備える、請求項１に記載のアンテナ。
【発明の詳細な説明】
【技術分野】
【０００１】
本開示は、無線通信技術に関し、より詳しくは、無線通信システム用のアンテナ、および、無線通信システムにおいてアンテナ発振器を反射板に固定するための方法に関する。
【背景技術】
【０００２】
アンテナ発振器は、基地局アンテナにおける重要な装置である。アンテナ発振器は、信号を送信または受信するためのアンテナ発振器の端部で、ケーブルおよび位相シフタネットワーク（Ｐｈａｓｅ  Ｓｈｉｆｔｅｒ  Ｎｅｔｗｏｒｋ）（ＰＳＮ）を半田付けすることにより、接続することができる。一般に、アンテナ発振器は通常、反射板の後側からネジにより反射板に固定され、次いで、ケーブルがアンテナ発振器の接続端部に半田付けされる。
【０００３】
図１および図２は、先行技術に係るアンテナ構造体の模式図を示している。図１および図２はそれぞれ、アンテナ構造体を反射板の前側および後側から図示している。図１より、アンテナ発振器１２０が反射板１１０の前側に取り付けられていることが分かるが、他方、従来のアンテナ発振器１２０の固定は反射板１１０の後側で行われる。この構造を図２により示す。図２より、アンテナ発振器１２０がネジ１３０により反射板１１０の後側に固定されていることが分かる。さらに、アンテナ発振器１２０は信号を受信または送信するために使用されるので、信号をそれぞれ伝送するケーブル１４１および１４２に接続される必要がある。従来の構造では、ケーブル１４１および１４２は通常、反射板１１０の後側で、アンテナ発振器１２０の接続端部に半田付けされる。最後に、位相シフタネットワーク（図示せず）を、ケーブル１４１および１４２ならびにネジ１３０に、すなわち反射板１１０の後側に取り付ける。
【発明の概要】
【発明が解決しようとする課題】
【０００４】
しかし、このようなアンテナ構造は一般に、使用時間に伴う老朽化または製造時における当初からの半田付け不良などの問題により、アンテナ発振器の取り換えが必要になる場合がある。すると、反射板の後側に被せられた位相シフタネットワークを、まず取り外さなくてはならない。しかし、取り外しは一般に不可逆的である。すなわち、このようにして取り外すと通常、取り付けられた位相シフタネットワークが損傷されることになる。これにより、アンテナの保守に関する問題が生じ、一方で保守の難しさが増加し、他方で保守のコストが増加する。
【課題を解決するための手段】
【０００５】
背景技術および既存の技術課題の上記理解に従い、本開示の第１の局面は、無線通信システム用のアンテナであって、
信号を伝送するための前側、および、前側と反対側の後側を有する反射板と、
反射板の前側に配置されたアンテナ発振器と、
反射板の後側に配置された位相シフタネットワークと、
反射板の前側に配置され、かつ、アンテナ発振器を反射板の前側に固定するよう構成された、アンテナ発振器固定機器とを備える、アンテナを提供する。
【０００６】
本開示に係るアンテナ発振器およびアンテナ発振器固定機器はともに、反射板の一方の側、すなわち前側に取り付けられており、その結果、このような構造を有するアンテナが容易に取り外され、損傷した部分が低いコストで容易に取り換えられ、または、必要な半田付け品質が容易に向上される。
【０００７】
本開示に係る実施形態では、アンテナ発振器は、反射板の前側に配置され、かつ、アンテナにより伝送および受信されることになる信号と、所要電力とを移送するための同軸ケーブルに接続するよう構成された、同軸ケーブル半田付け端部を備えている。このような仕方で、アンテナ発振器の同軸ケーブル半田付け端部と、アンテナにより伝送および受信されることになる信号ならびに所要電力を移送するための同軸ケーブルとの間の半田付け点も必然的に、反射板の前側に配置されることになり、それによりさらに、このような構造を有するアンテナを取り外すことおよび保守することが容易になる。
【０００８】
本開示に係る実施形態では、同軸ケーブル半田付け端部は、反射板の前側に平行な方向に延びている。このような構造は製造が容易であり、続く半田付けプロセスを促進する。
【０００９】
本開示に係る実施形態では、アンテナは、反射板上の、同軸ケーブル半田付け端部と同軸ケーブルとの間の接続点に配置され、かつ、同軸ケーブル半田付け端部を同軸ケーブルに半田付けするよう構成された、半田付け機器をさらに備えている。このような仕方で、アンテナの製造プロセスにおいて、利便性がより良くなる。すなわち、アンテナ発振器自体が半田付け機器を有しており、それにより、半田付けおよびその後の半田除去をともに促進する。
【００１０】
本開示に係る実施形態では、半田付け機器は誘導半田付け機器である。このような仕方で、アンテナ発振器の同軸ケーブル半田付け端部と、アンテナにより伝送および受信されることになる信号ならびに所要電力を移送するための同軸ケーブルとの間の半田付け点の半田付け品質がさらに向上され、かつ、続く半田除去プロセスがより容易になる。
【００１１】
本開示に係る実施形態では、誘導半田付け機器は、同軸ケーブル半田付け端部を同軸ケーブルから結合解除するよう、さらに構成されている。このような仕方で、今後ある部品が損傷した場合、または、半田付け点での半田付け品質が高くない場合に、構造体に不可逆的な破壊的損傷を引き起こすことなしに、さらなる改良が可能となる。
【００１２】
本開示に係る実施形態では、反射板は、同軸ケーブルが、アンテナにより伝送および受信されることになる信号と、所要電力とを移送して反射板を通過させることを可能にするよう構成された、孔を備えている。
【００１３】
本開示に係る実施形態では、アンテナの前側は、アンテナ発振器を固定するための凸状の板を備え、アンテナ発振器上に固定のための孔があり、孔と凸状の板との間にネジ接続が存在する。
【００１４】
さらに、本開示の第２の局面は、無線通信システムにおいてアンテナ発振器を反射板に固定するための方法であって、
アンテナ発振器の固定機器を使用することにより、反射板の前側にアンテナ発振器を固定するステップと、
反射板の前側において、アンテナ発振器の同軸ケーブル半田付け端部を、半田付け機器を使用することにより、反射板の後側から延びる同軸ケーブルに接続するステップとを含む、方法を提供する。
【００１５】
本開示に係る実施形態では、本方法は、
アンテナ発振器を取り換える必要があるときに、半田付け機器を使用することにより、アンテナ発振器の同軸ケーブル半田付け端部を、反射板の後側から延びる同軸ケーブルから結合解除するステップをさらに含んでいる。
【００１６】
本開示に係る実施形態では、同軸ケーブル半田付け端部は、反射板の前側に平行な方向に延びている。
【００１７】
本開示に係る実施形態では、アンテナ発振器の固定機器は、ネジ接続を使用することにより、アンテナ発振器を反射板の前側に固定する。
【発明の効果】
【００１８】
本開示に係るアンテナおよび固定方法により、既存の位相シフタネットワークを損傷せずに容易に取り外されるアンテナ発振器を有するアンテナを製造することが可能となり、これにより、本開示に係るアンテナの保守性が劇的に向上され、かつ、保守および修理のコストも低減されることになる。
【００１９】
本開示の他の特徴、目的および利点が、添付図面を参照して以下の非限定的な実施形態の詳細な説明を読むことで、より明らかとなるであろう。
【図面の簡単な説明】
【００２０】
【図１】先行技術に係るアンテナ構造体の前側の模式図１００を示す。
【図２】先行技術に係るアンテナ構造体の後側の模式図１００を示す。
【図３】本開示の第１の実施形態に係るアンテナ構造体の前側の模式図３００を示す。
【図４】本開示の第２の実施形態に係るアンテナ構造体の前側の模式図４００を示す。
【図５】本開示に係る無線通信システムにおいて、アンテナ発振器を反射板に固定するための方法のフローチャート５００を示す。
【発明を実施するための形態】
【００２１】
図では、同一または類似の参照番号は、異なる図を通じて、同一または似た機器（モジュール）またはステップを示す。
【００２２】
図１および図２はそれぞれ、先行技術に係るアンテナ構造体の前側および後側の模式図を示している。先行技術に係るアンテナ構造体は、背景技術において詳細に説明しており、ここでは繰り返さない。
【００２３】
以下において、本開示に係るアンテナの構造図および本開示に係るアンテナを製造するための方法のフローチャートは、強調して示される。
【００２４】
図３は、本開示の第１の実施形態に係るアンテナ構造体の前側の模式図３００を示している。図３から、無線通信システム用のアンテナ３００が以下の部品、
信号を伝送するための前側、および、前側と反対側の後側を有する反射板３１０と、
反射板３１０の前側に配置されたアンテナ発振器３２０と、
反射板３１０の後側に配置された位相シフタネットワーク（図示せず）と、
反射板３１０の前側に配置され、かつ、アンテナ発振器３２０を反射板３１０の前側に固定するよう構成された、アンテナ発振器固定機器３３０とを備えていることが分かる。
【００２５】
本開示に係るアンテナ発振器３２０およびアンテナ発振器固定機器３３０はともに、反射板３１０の一方の側、すなわち前側に取り付けられており、その結果、このような構造を有するアンテナが容易に取り外され、損傷した部分が低いコストで容易に取り換えられ、または、必要な半田付け品質が容易に向上される。
【００２６】
本開示に係る実施形態では、アンテナ発振器３２０は、反射板３１０の前側に配置され、かつ、アンテナにより伝送および受信されることになる信号と、所要電力とを移送するための同軸ケーブルに接続するよう構成された、同軸ケーブル半田付け端部をも備えている。このような仕方で、アンテナ発振器３２０の同軸ケーブル半田付け端部と、アンテナにより伝送および受信されることになる信号ならびに所要電力を移送するための同軸ケーブル３４１との間の半田付け点も必然的に、反射板の前側に配置されることになり、それによりさらに、このような構造を有するアンテナを取り外すことおよび保守することが容易になる。
【００２７】
本開示に係る実施形態では、同軸ケーブル半田付け端部は、反射板３１０の前側に平行な方向に延びている。このような構造は製造が容易であり、続く半田付けプロセスを促進する。
【００２８】
同軸ケーブル半田付け端部と、アンテナにより伝送および受信されることになる信号ならびに所要電力を移送するための同軸ケーブル３４１とがともに反射板３１０の前側に配置されている場合、かつ、限られた空間的なレイアウトなどの問題がある場合、従来の電気抵抗溶接で要求を満たすことができるが、アンテナ発振器３２０の同軸ケーブル半田付け端部と、アンテナにより伝送および受信されることになる信号ならびに所要電力を移送するための同軸ケーブル３４１との間の半田付け点の半田付け品質をさらに向上するために、本開示の別の実施形態を図４により示す。図４は、本開示の第２の実施形態に係るアンテナ構造体の前側の模式図４００を示している。図４から、本開示に係るアンテナ４００は、反射板３１０上の同軸ケーブル半田付け端部と、同軸ケーブル４４１との間の接続点に配置され、かつ、同軸ケーブル半田付け端部を同軸ケーブル４４１に半田付けするよう構成された、半田付け機器４５０をさらに備えていることが分かる。このような仕方で、アンテナの製造プロセスにおいて、利便性がより良くなる。すなわち、アンテナ発振器自体が半田付け機器を有しており、それにより、半田付けおよびその後の半田除去をともに促進する。
【００２９】
本開示に係る実施形態では、半田付け機器４５０は誘導半田付け機器である。このような仕方で、アンテナ発振器４２０の同軸ケーブル半田付け端部と、アンテナにより伝送および受信されることになる信号ならびに所要電力を移送するための同軸ケーブル４４１との間の半田付け点の半田付け品質がさらに向上され、かつ、続く半田除去プロセスがより容易になる。
【００３０】
本開示に係る実施形態では、誘導半田付け機器４５０は、同軸ケーブル半田付け端部を同軸ケーブル４４１から結合解除するよう、さらに構成されている。このような仕方で、今後ある部品が損傷した場合、または、半田付け点での半田付け品質が高くない場合に、構造体に不可逆的な破壊的損傷を引き起こすことなしに、さらなる改良が可能となる。
【００３１】
本開示に係る実施形態では、反射板４１０は、同軸ケーブル４４１が、アンテナにより伝送および受信されることになる信号と、所要電力とを移送して反射板４１０を通過させることを可能にするよう構成された、孔を備えている。
【００３２】
本開示に係る実施形態では、アンテナ４００の前側は、アンテナ発振器４２０を固定するための凸状の板を備え、アンテナ発振器４２０上に固定のための孔があり、孔と凸状の板との間にネジ接続が存在する。当業者であれば、ここでの接続の仕方がネジ接続を含んでいるが、これに限定されず、リベット接続などの他の適切な接続の仕方であってもよいことを理解するであろう。
【００３３】
上述したアンテナ構造体に加えて、本開示は、無線通信システムにおいてアンテナ発振器を反射板に固定するための方法をも提示する。図５は、本開示に係る無線通信システムにおいて、アンテナ発振器を反射板に固定するための方法のフローチャート５００を示している。図５から、方法５００が、以下の
まず、ステップ５１０で、アンテナ発振器の固定機器を使用することにより、反射板の前側にアンテナ発振器を固定するステップと、
次いで、続くステップ５２０で、反射板の前側において、アンテナ発振器の同軸ケーブル半田付け端部を、反射板の後側から延びる同軸ケーブルに接続するステップとを含むことが分かる。
【００３４】
本開示に係る実施形態では、方法５００は、
アンテナ発振器を取り換える必要があるときに（図５に図示せず）、半田付け機器を使用することにより、アンテナ発振器の同軸ケーブル半田付け端部を、反射板の後側から延びる同軸ケーブルから結合解除するステップをさらに含んでいる。
【００３５】
本開示に係る実施形態では、同軸ケーブル半田付け端部は、反射板の前側に平行な方向に延びている。
【００３６】
本開示に係る実施形態では、アンテナ発振器の固定機器は、ネジ接続を使用することにより、アンテナ発振器を反射板の前側に固定する。
【００３７】
本開示に係るアンテナおよび固定方法により、既存の位相シフタネットワークを損傷せずに容易に取り外されるアンテナ発振器を有するアンテナを製造することが可能となり、これにより、本開示に係るアンテナの保守性が劇的に向上され、かつ、保守および修理のコストも低減されることになる。
【００３８】
以下の好ましい実施形態の詳細な説明では、本開示の一部である添付図面が参照されることになる。例示として、添付図面は、本開示を実施することのできる特定の実施形態を示している。例示的な実施形態は、本開示に係るすべての実施形態を網羅することを意図していない。本開示の範囲を逸脱することなく、他の実施形態を採用してもよいこと、および、構造的または論理的な変更をしてもよいことを理解されたい。ゆえに、以下の詳細な説明は限定的でなく、本開示の範囲は添付の特許請求の範囲により規定される。
【００３９】
当業者にとって、本開示が上記の例示的な実施形態の詳細に限定されないことは明らかである。同時に、本開示の精神または本質的な特徴を逸脱することなく、本開示を他の特定の形態で実施することができる。ゆえに、どのような場合でも、実施形態は、例示的かつ非限定であるとみなすべきである。加えて、明らかに、「備える」および「含む」という語は他の要素およびステップを排除せず、「１つの」という表現は複数の形態を排除しない。装置クレーム中に記載の複数の要素は、１つの要素によっても実施することができる。「第１の」および「第２の」などという表現は、特定の順序を示すためでなく、指定を行うために使用されている。
【図１】
0006802337.tif 000002
【図２】
0006802337.tif 000003
【図３】
0006802337.tif 000004
【図４】
0006802337.tif 000005
【図５】
0006802337.tif 000006